(57)【要約】  本発明は、無線通信システムで自動再伝送要請（Ａｕｔｏｍａｔｉｃ  Ｒｅｐｅａｔ  Ｒｅｑｕｅｓｔ：ＡＲＱ）フィードバック・メッセージの生成装置及び方法に関する。本発明による受信端でＡＲＱフィードバックのための方法は、ＡＲＱフィードバックを行っていない少なくとも一つのＡＲＱブロックのうち、最初にエラーが発生したＡＲＱブロック情報を含む第１のＡＲＱフィードバック情報を生成するステップと、第１のＡＲＱフィードバック情報にエラーの発生如何を示していない少なくとも一つのＡＲＱブロックに対するエラーの発生如何を示す第２のＡＲＱフィードバック情報を生成するステップと、第１のＡＲＱフィードバック情報及び第２のＡＲＱフィードバック情報を含むＡＲＱフィードバック・メッセージを生成して送信端に伝送するステップと、を含む。
2012500553.tif 000002
【特許請求の範囲】
【請求項１】
無線通信システムの受信端で自動再伝送要請（Ａｕｔｏｍａｔｉｃ  Ｒｅｐｅａｔ  Ｒｅｑｕｅｓｔ：ＡＲＱ）フィードバック・メッセージの生成方法において、
ＡＲＱフィードバックを行っていない少なくとも一つのＡＲＱブロックのうち、最初にエラーが発生したＡＲＱブロック情報を含む第１のＡＲＱフィードバック情報を生成するステップと、
前記第１のＡＲＱフィードバック情報にエラーの発生如何を示していない少なくとも一つのＡＲＱブロックに対するエラーの発生如何を示す第２のＡＲＱフィードバック情報を生成するステップと、
前記第１のＡＲＱフィードバック情報と前記第２のＡＲＱフィードバック情報を含むＡＲＱフィードバック・メッセージを生成して送信端に伝送するステップと、
を含むことを特徴とする方法。
【請求項２】
ＡＲＱフィードバックを行うＡＲＱブロックのうち、エラーが発生したＡＲＱブロックが存在するかを確認するステップと、
エラーが発生したＡＲＱブロックが存在しない場合、最後にエラーなしに受信成功したＡＲＱブロック情報を含む第３のＡＲＱフィードバック情報を生成するステップと、
前記第３のＡＲＱフィードバック情報を含むＡＲＱフィードバック・メッセージを生成して送信端に伝送するステップと、
をさらに含み、
エラーが発生したＡＲＱブロックが存在する場合、最初にエラーが発生したＡＲＱブロック情報を含む第１のＡＲＱフィードバック情報を生成することを特徴とする請求項１に記載の方法。
【請求項３】
送信端でエラーが発生したＡＲＱブロックを少なくとも二つに分割して再伝送したＡＲＱ下位ブロックに対するＡＲＱフィードバックを行うかを確認するステップと、
前記ＡＲＱ下位ブロックに対するＡＲＱフィードバックを行う場合、ＡＲＱフィードバックを行っていない少なくとも二つのＡＲＱ下位ブロックのうち、最初にエラーが発生したＡＲＱ下位ブロック情報を含む第４のＡＲＱフィードバック情報を生成するステップと、
前記第４のＡＲＱフィードバック情報にエラーの発生如何を示していない少なくとも一つのＡＲＱ下位ブロックに対するエラーの発生如何を示す第５のＡＲＱフィードバック情報を生成するステップと、
前記第４のＡＲＱフィードバック情報と前記第５のＡＲＱフィードバック情報を含むＡＲＱ下位ブロックに対するＡＲＱフィードバック・メッセージを生成するステップと、
前記ＡＲＱフィードバック・メッセージにＡＲＱ下位ブロックに対するＡＲＱフィードバック・メッセージを追加して送信端に伝送するステップと、
をさらに含み、
前記ＡＲＱ下位ブロックに対するＡＲＱフィードバックを行わない場合、前記第１のＡＲＱフィードバック情報及び前記第２のＡＲＱフィードバック情報を含むＡＲＱフィードバック・メッセージを生成して送信端に伝送することを特徴とする請求項１に記載の方法。
【請求項４】
無線通信システムの受信端でＡＲＱフィードバック・メッセージの生成装置において、
ＡＲＱブロックを受信する受信器と、
前記受信器を通じて送信端から受信したＡＲＱブロックのエラー発生如何を判断し、ＡＲＱフィードバックを行う時点を考慮して、送信端にＡＲＱフィードバックを行うように制御するＡＲＱ制御部と、
ＡＲＱフィードバックを行う場合、ＡＲＱフィードバックを行っていない少なくとも一つのＡＲＱブロックのうち、最初にエラーが発生したＡＲＱブロック情報を含む第１のＡＲＱフィードバック情報と、前記第１のＡＲＱフィードバック情報にエラーの発生如何を示していない少なくとも一つのＡＲＱブロックに対するエラーの発生如何を示す第２のＡＲＱフィードバック情報を含むＡＲＱフィードバック・メッセージを生成するＡＲＱ制御メッセージ生成部と、
前記ＡＲＱフィードバック・メッセージを送信端に伝送する送信器と、
を備えることを特徴とする装置。
【請求項５】
前記第２のＡＲＱフィードバック情報を生成するステップは、
前記第１のＡＲＱフィードバック情報にエラーの発生如何を示していない少なくとも一つのＡＲＱブロック及び前記最初にエラーが発生したＡＲＱブロックに対するエラーの発生如何を示すビットマップで第２のＡＲＱフィードバック情報を生成するステップを含むことを特徴とする請求項１または請求項４に記載の方法または装置。
【請求項６】
前記ＡＲＱフィードバック・メッセージは、ＡＲＱフィードバック・メッセージのタイプ情報、受信端の識別子情報、他のＡＲＱフィードバック・メッセージの存否を示す情報、ＡＲＱフィードバック・メッセージの構成情報、ビットマップ情報が最後のビットマップであるかを示す情報、前記第１のＡＲＱフィードバック情報に含まれたＡＲＱブロックのシーケンス番号を示す情報及び前記第１のＡＲＱフィードバック情報を利用してエラーの発生如何を示していない少なくとも一つのＡＲＱブロックのエラー発生如何を示すビットマップ情報のうち少なくとも一つを含むことを特徴とする請求項１または請求項４に記載の方法または装置。
【請求項７】
前記ＡＲＱ制御メッセージ生成部は、エラーが発生したＡＲＱブロックが存在しない場合、最後にエラーなしに受信成功したＡＲＱブロック情報を含む第３のＡＲＱフィードバック情報を含むＡＲＱフィードバック・メッセージを生成し、
ＡＲＱフィードバックを行うＡＲＱブロックのうち、エラーが発生したＡＲＱブロックが存在する場合、前記最初にエラーが発生したＡＲＱブロック情報を含む第１のＡＲＱフィードバック情報及び前記第２のＡＲＱフィードバック情報を含むＡＲＱフィードバック・メッセージを生成することを特徴とする請求項４に記載の装置。
【請求項８】
前記ＡＲＱ制御メッセージ生成部は、送信端でエラーが発生したＡＲＱブロックを少なくとも二つに分割して再伝送したＡＲＱ下位ブロックに対するＡＲＱフィードバックを行う場合、ＡＲＱフィードバックを行っていない少なくとも二つのＡＲＱ下位ブロックのうち、最初にエラーが発生したＡＲＱ下位ブロック情報を含む第４のＡＲＱフィードバック情報と、前記第４のＡＲＱフィードバック情報にエラーの発生如何を示していない少なくとも一つのＡＲＱ下位ブロックに対するエラーの発生如何を示す第５のＡＲＱフィードバック情報を含むＡＲＱ下位ブロックに対するＡＲＱフィードバック・メッセージを生成し、
前記ＡＲＱフィードバック・メッセージにＡＲＱ下位ブロックに対するＡＲＱフィードバック・メッセージを追加することを特徴とする請求項４に記載の装置。
【請求項９】
前記ＡＲＱ下位ブロックに対するＡＲＱフィードバック・メッセージは、ＡＲＱフィードバック・メッセージのタイプ、受信端の識別子情報、他のＡＲＱフィードバック・メッセージの存否を示す情報、エラーが発生したＡＲＱ下位ブロックを有するＡＲＱブロックの個数情報、エラーが発生したＡＲＱ下位ブロックを有するＡＲＱブロックの識別子情報、ＡＲＱフィードバック情報の構成情報、ビットマップ情報が最後のビットマップであるかを示す情報、前記第４のＡＲＱフィードバック情報に含まれるＡＲＱ下位ブロックのシーケンス番号を示す情報及び前記第４のＡＲＱフィードバック情報を利用してエラーの発生如何を示していない少なくとも一つのＡＲＱブロックのエラー発生如何を示すビットマップ情報のうち少なくとも一つを含むことを特徴とする請求項３または請求項８に記載の方法または装置。
【請求項１０】
無線通信システムの受信端でＡＲＱフィードバック・メッセージの生成方法において、
ＡＲＱフィードバックを行っていない少なくとも一つのＡＲＱ下位ブロックのうち、最初にエラーが発生したＡＲＱ下位ブロック情報を含む第１のＡＲＱフィードバック情報を生成するステップと、
前記第１のＡＲＱフィードバック情報にエラーの発生如何を示していない少なくとも一つのＡＲＱ下位ブロックに対するエラーの発生如何を示す第２のＡＲＱフィードバック情報を生成するステップと、
前記第１のＡＲＱフィードバック情報及び前記第２のＡＲＱフィードバック情報を含むＡＲＱフィードバック・メッセージを生成して送信端に伝送するステップと、
を含むことを特徴とする方法。
【請求項１１】
エラーが発生したＡＲＱ下位ブロックが存在するかを確認するステップと、
エラーが発生したＡＲＱ下位ブロックが存在しない場合、最後にエラーなしに受信成功したＡＲＱ下位ブロック情報を含む第３のＡＲＱフィードバック情報を生成するステップと、
前記第３のＡＲＱフィードバック情報を含むＡＲＱフィードバック・メッセージを生成して送信端に伝送するステップと、
をさらに含み、
エラーが発生したＡＲＱ下位ブロックが存在する場合、最初にエラーが発生したＡＲＱ下位ブロック情報を含む第１のＡＲＱフィードバック情報を生成することを特徴とする請求項１０に記載の方法。
【請求項１２】
無線通信システムの受信端でＡＲＱフィードバック・メッセージの生成装置において、
ＡＲＱブロック及びＡＲＱ下位ブロックを受信する受信器と、
前記受信器を通じて送信端から受信されたＡＲＱブロック及びＡＲＱ下位ブロックのエラー発生如何を判断し、ＡＲＱフィードバックを行う時点を考慮して、送信端にＡＲＱフィードバックを行うように制御するＡＲＱ制御部と、
ＡＲＱ下位ブロックに対するフィードバックを行う場合、ＡＲＱフィードバックを行っていない少なくとも一つのＡＲＱ下位ブロックのうち、最初にエラーが発生したＡＲＱ下位ブロック情報を含む第１のＡＲＱフィードバック情報と、前記第１のＡＲＱフィードバック情報にエラーの発生如何を示していない少なくとも一つのＡＲＱ下位ブロックに対するエラーの発生如何を示す第２のＡＲＱフィードバック情報と、を含むＡＲＱフィードバック・メッセージを生成するＡＲＱ制御メッセージ生成部と、
前記ＡＲＱフィードバック・メッセージを送信端に伝送する送信器と、を備えることを特徴とする装置。
【請求項１３】
前記第２のＡＲＱフィードバック情報は、前記第１のＡＲＱフィードバック情報にエラーの発生如何を示していない少なくとも一つのＡＲＱ下位ブロック及び前記最初にエラーが発生したＡＲＱ下位ブロックに対するエラーの発生如何を示すビットマップで第２のＡＲＱフィードバック情報を生成することを特徴とする請求項１０または請求項１２に記載の方法または装置。
【請求項１４】
前記ＡＲＱフィードバック・メッセージは、前記ＡＲＱフィードバック・メッセージのタイプ情報、受信端の識別子情報、他のＡＲＱフィードバック・メッセージの存否を示す情報、エラーが発生したＡＲＱ下位ブロックを有するＡＲＱブロックの個数情報、エラーが発生したＡＲＱ下位ブロックを有するＡＲＱブロックの識別子情報、ＡＲＱフィードバック情報の構成情報、ビットマップ情報が最後のビットマップであるかを示す情報、前記第３のＡＲＱフィードバック情報に含まれるＡＲＱ下位ブロックのシーケンス番号を示す情報及び前記第３のＡＲＱフィードバック情報を利用してエラーの発生如何を示していない少なくとも一つのＡＲＱブロックのエラー発生如何を示すビットマップ情報のうち少なくとも一つを含むことを特徴とする請求項１０または請求項１２に記載の方法または装置。
【請求項１５】
前記ＡＲＱ制御メッセージ生成部は、ＡＲＱフィードバックを行うＡＲＱ下位ブロックのうち、エラーが発生したＡＲＱ下位ブロックが存在しない場合、最後にエラーなしに受信成功したＡＲＱ下位ブロック情報を含む第３のＡＲＱフィードバック情報を含むＡＲＱフィードバック・メッセージを生成し、
ＡＲＱフィードバックを行うＡＲＱ下位ブロックのうち、エラーが発生したＡＲＱ下位ブロックが存在する場合、前記最初にエラーが発生したＡＲＱ下位ブロック情報を含む第１のＡＲＱフィードバック情報及び前記第２のＡＲＱフィードバック情報を含むＡＲＱフィードバック・メッセージを生成することを特徴とする請求項１２に記載の装置。
【請求項１６】
前記ＡＲＱフィードバック・メッセージは、前記ＡＲＱフィードバック・メッセージの構成情報と、ビットマップ情報が最後のビットマップであるかを示す情報とを同一のフィールド名で構成することを特徴とする請求項６、請求項９または請求項１４に記載の方法または装置。
【発明の詳細な説明】
【技術分野】
【０００１】
本発明は、無線通信システムで自動再伝送要請（Ａｕｔｏｍａｔｉｃ  Ｒｅｐｅａｔｒｅ  ｒｅＱｕｅｓｔ：ＡＲＱ）のための装置及び方法に係り、さらに詳細には、無線通信システムでＡＲＱフィードバック・メッセージを生成するための装置及び方法に関する。
【背景技術】
【０００２】
無線通信システムは、データを伝送する無線資源のチャンネル状態によってデータにエラーが発生しうる。このことから、無線通信システムは、伝送信頼度を高めるために、ＡＲＱ方法を利用してデータのエラーを制御及び復旧する。
【０００３】
ＡＲＱ方法を使用する場合、受信端は、送信端から受信されたＡＲＱブロックの受信成否を前記送信端に知らせる。例えば、送信端から受信されたＡＲＱブロックにエラーが発生していない場合、受信端は前記送信端にＡＣＫ情報を伝送する。一方、送信端から受信されたＡＲＱブロックにエラーが発生した場合、受信端は前記送信端にＡＣＫ情報を伝送する。ここで、受信端が受信したＡＲＱブロックに対する受信成否を送信端に伝送する一連の動作をＡＲＱフィードバックと称する。
【０００４】
ＡＲＱフィードバックを行う場合、受信端は累積ＡＣＫ（Ｃｕｍｕｌａｔｉｖｅ  ＡＣＫ）方式、選択ＡＣＫ（Ｓｅｌｅｃｔｉｖｅ  ＡＣＫ）方式及びブロック・シーケンスＡＣＫ（Ｂｌｏｃｋ  Ｓｅｑｕｅｎｃｅ  ＡＣＫ）方式を利用することができる。
【０００５】
ブロック・シーケンスＡＣＫ方式を使用する場合、受信端は送信端から受信したＡＲＱブロックに対する受信成否をビットマップ及び長さ情報を利用して表示する。
【０００６】
選択ＡＣＫ方式を使用する場合、受信端はそれぞれのＡＲＱブロックに一つのビットを割り当てて構成したビットマップを利用して、送信端から受信したＡＲＱブロックに対する受信成否を表示する。このとき、前記ビットマップを生成するビットの数が一定である。したがって、受信端でビットマップを生成するビット数より少ない数のＡＲＱブロックに対するＡＲＱフィードバックを行う場合、前記受信端と送信端はビットマップで、ＡＲＱブロックの受信成否を示すビットを除いたビットが無駄になる問題が発生する。
【０００７】
累積ＡＣＫ方式を使用する場合、受信端は最初にエラーが発生したＡＲＱブロック以前に受信成功したＡＲＱブロックのうち、シーケンス番号が最も大きいＡＲＱブロックのシーケンス番号を送信端に伝送する。例えば、受信端が送信端から１２個のＡＲＱブロックのうち１０個のＡＲＱブロックを受信した状態で、第４、第５、第７、及び第９のＡＲＱブロックにエラーが発生した場合、前記受信端は、第３のＡＲＱブロック・シーケンス番号を送信端に伝送する。
【０００８】
しかし、受信端が送信端から受信した第１のＡＲＱブロックにエラーが発生する場合、前記受信端は送信端にＡＲＱブロック・シーケンス番号を伝送することができなくなる問題が発生する。また、受信端はＡＲＱフィードバックを通じて送信端に伝送したＡＲＱブロック・シーケンス番号以後に受信成功したＡＲＱブロックのＡＣＫ情報を送信端に知らせることができない問題が発生する。
【発明の概要】
【発明が解決しようとする課題】
【０００９】
したがって、本発明の目的は、無線通信システムの受信端でＡＲＱフィードバック・メッセージを生成するための装置及び方法を提供するところにある。
【００１０】
本発明の他の目的は、無線通信システムの受信端で累積ＡＣＫ方式と選択ＡＣＫ方式を利用してＡＲＱフィードバック・メッセージを生成するための装置及び方法を提供するところにある。
【００１１】
本発明のさらに他の目的は、無線通信システムで選択ＡＣＫ方式によるＡＲＱフィードバック・メッセージのオーバーヘッドを低減させるための装置及び方法を提供するところにある。
【００１２】
本発明のさらに他の目的は、無線通信システムの送信端で少なくとも一つのＡＲＱブロックで構成されるＭＰＤＵ（ＭＡＣ  Ｐｒｏｔｏｃｏｌ  Ｄａｔａ  Ｕｎｉｔ）を利用してＡＲＱを行うための装置及び方法を提供するところにある。
【００１３】
本発明のさらに他の目的は、無線通信システムの送信端で再伝送する場合、再伝送するためのＡＲＱブロックを少なくとも一つのＡＲＱ下位ブロック（ＡＲＱ  ｓｕｂ−ｂｌｏｃｋ）に分割して再伝送するための装置及び方法を提供するところにある。
【００１４】
本発明のさらに他の目的は、無線通信システムの受信端で少なくとも一つのＡＲＱ下位ブロックに分割されて再伝送されるＡＲＱブロックに対するＡＲＱフィードバック・メッセージを生成するための装置及び方法を提供するところにある。
【課題を解決するための手段】
【００１５】
本発明の目的を達成するための本発明の第１実施形態によれば、無線通信システムの受信端で自動再伝送要請（ＡＲＱ：ＡｕｔｏｍａｔｉｃＲｅｐｅａｔＲｅｑｕｅｓｔ）フィードバック・メッセージ生成方法は、ＡＲＱフィードバックを行っていない少なくとも一つのＡＲＱブロックの中で一番目にエラーが発生したＡＲＱブロック情報を含む第１のＡＲＱフィードバック情報を生成するステップと、前記第１のＡＲＱフィードバック情報にエラー発生可否を現わすことができなかった少なくとも一つのＡＲＱブロックに対するエラー発生可否を現わす第２のＡＲＱフィードバック情報を生成するステップと、前記第１のＡＲＱフィードバック情報と前記第２のＡＲＱフィードバック情報を含むＡＲＱフィードバック・メッセージを生成して送信端に伝送するステップを含むことを特徴とする。
【００１６】
本発明の第２実施形態によれば、無線通信システムの受信端で自動再伝送要請フィードバック・メッセージ生成方法は、ＡＲＱフィードバックを行っていない少なくとも一つのＡＲＱ下位ブロック中一番目でエラーが発生したＡＲＱ下位ブロック情報を含む第１のＡＲＱフィードバック情報を生成するステップと、前記第１のＡＲＱフィードバック情報にエラー発生可否を現わすことができなかった少なくとも一つのＡＲＱ下位ブロックに対するエラー発生可否を現わす第２のＡＲＱフィードバック情報を生成するステップと、前記第１のＡＲＱフィードバック情報と前記第２のＡＲＱフィードバック情報を含むＡＲＱフィードバック・メッセージを生成して送信端に伝送するステップを含むことを特徴とする。
【００１７】
本発明の第３実施形態によれば、無線通信システムの受信端で自動再伝送要請フィードバック・メッセージ生成装置は、ＡＲＱブロックを受信される受信機と、前記受信機を通じて送信端から受信されたＡＲＱブロックのエラー発生可否を判断して、ＡＲＱフィードバック遂行時点を考慮して送信端でＡＲＱフィードバックを行うように制御するＡＲＱ制御部と、ＡＲＱフィードバックを行う場合、ＡＲＱフィードバックを行っていない少なくとも一つのＡＲＱブロックの中で一番目にエラーが発生したＡＲＱブロック情報を含む第１のＡＲＱフィードバック情報と前記第１のＡＲＱフィードバック情報にエラー発生可否を現わすことができなかった少なくとも一つのＡＲＱブロックに対するエラー発生可否を現わす第２のＡＲＱフィードバック情報を含むＡＲＱフィードバック・メッセージを生成するＡＲＱ制御メッセージ生成部と、前記ＡＲＱフィードバック・メッセージを送信端に伝送する送信機を含んで構成されることを特徴とする。
【００１８】
本発明の第４実施形態によれば、無線通信システムの受信端で自動再伝送要請フィードバック・メッセージ生成装置は、ＡＲＱブロック及びＡＲＱ下位ブロックを受信される受信機と、前記受信機を通じて送信端から受信されたＡＲＱブロック及びＡＲＱ下位ブロックのエラー発生可否を判断して、ＡＲＱフィードバック遂行時点を考慮して送信端でＡＲＱフィードバックを行うように制御するＡＲＱ制御部と、ＡＲＱ下位ブロックに対するフィードバックを行う場合、ＡＲＱフィードバックを行っていない少なくとも一つのＡＲＱ下位ブロック中一番目でエラーが発生したＡＲＱ下位ブロック情報を含む第１のＡＲＱフィードバック情報課前記第１のＡＲＱフィードバック情報にエラー発生可否を現わすことができなかった少なくとも一つのＡＲＱ下位ブロックに対するエラー発生可否を現わす第２のＡＲＱフィードバック情報を含むＡＲＱフィードバック・メッセージを生成するＡＲＱ制御メッセージ生成部と、前記ＡＲＱフィードバック・メッセージを送信端に伝送する送信機を含んで構成されることを特徴とする。
【００１９】
本発明の実施形態による本発明の前述の見地、他の見地、特徴、利益は、下記の図面とともに説明される詳細な説明から明らかに認識されるであろう。
【図面の簡単な説明】
【００２０】
【図１Ａ】本発明の実施形態による無線通信システムにおけるＡＲＱブロックの構成を示す図である。
【図１Ｂ】本発明の実施形態による無線通信システムにおけるＡＲＱブロックの構成を示す図である。
【図１Ｃ】本発明の実施形態による無線通信システムにおけるＡＲＱブロックの構成を示す図である。
【図２】本発明の実施形態による無線通信システムにおけるＡＲＱフィードバック・メッセージの構成を示す図である。
【図３】本発明の実施形態による無線通信システムで再伝送されたＡＲＱブロックに対するＡＲＱフィードバック情報を含むＡＲＱフィードバック・メッセージの構成を示す図である。
【図４】本発明の実施形態による無線通信システムの受信端でＡＲＱフィードバック・メッセージを生成するための手続きを示すフローチャートである。
【図５】本発明の実施形態による無線通信システムの送信端でＡＲＱブロックを伝送するための手続きを示すフローチャートである。
【図６】本発明によって無線通信システムにおける送信端の構成を示すブロック図である。
【図７】本発明によって無線通信システムにおける受信端の構成を示すブロック図である。
【発明を実施するための形態】
【００２１】
前記図面において、参照番号は同一または類似する要素、特徴、及び構造を説明するために使用される。
【００２２】
以下、参照図面についての説明は、特許請求の範囲及びそれの均等によって定義される本発明の実施形態の包括的な理解を助けるために提供される。以下の説明は、理解を助けるために多様な具体的な詳細事項を含むが、単に例示として取り扱われる。したがって、本発明の思想や範囲を逸脱しない限り、実施形態の多様な変形及び修正が可能であるということは言うまでもない。また、周知の機能及び構造の説明は明確性のために省略されるであろう。
【００２３】
“ａ”、“ａｎ”及び“ｔｈｅ”のような単数形は、文脈で明確に記述しない限り、複数の指示対象を含む。例えば、“ａ  ｃｏｍｐｏｎｅｎｔ  ｓｕｒｆａｃｅ”は少なくとも一つの意味を含む。
【００２４】
以下、本発明は、無線通信システムの受信端で累積ＡＣＫ（Ｃｕｍｕｌａｔｉｖｅ  ＡＣＫ）方式と選択ＡＣＫ（Ｓｅｌｅｃｔｉｖｅ  ＡＣＫ）方式を利用してＡＲＱフィードバック・メッセージを生成するための技術について説明する。
【００２５】
以下の説明において送信端と受信端は、基地局制御装置、基地局、端末、中継局などの無線通信システムを構成するあらゆる送受信ノードを含む。
【００２６】
ＡＲＱ動作は、ＭＡＣ（Ｍｅｄｉａ  Ａｃｃｅｓｓ  Ｃｏｎｔｒｏｌ）層で起こる。したがって、送信端は、ＡＲＱのために、図１に示すように、ＭＡＣ層でＡＲＱブロックまたは再伝送のためのＡＲＱブロックを生成する。
【００２７】
図１Ａないし図１Ｃは、本発明の実施形態による無線通信システムにおけるＡＲＱブロックの構成を示す図である。
【００２８】
図１に示すように、図１Ａは、データ伝送のためのＡＲＱブロックの構成を示し、図１Ｂは、再伝送のためのＡＲＱ下位ブロックの構成を示し、図１Ｃは、再伝送のためのＡＲＱブロックの構成を示す。
【００２９】
図１Ａに示すように、送信端は、上層からＭＡＣ層に伝送したサービス・データ・ユニット（Ｓｅｒｖｉｃｅ  Ｄａｔａ  Ｕｎｉｔ：ＳＤＵ）を分割するか、または複数のＳＤＵを結合して、ＭＡＣ層の伝送単位であるＭＰＤＵを構成する。
【００３０】
ＭＰＤＵにＡＲＱを適用する場合、前記送信端はＭＰＤＵ単位でＡＲＱブロック・シーケンス番号（ＡＲＱＳＮ）を割り当てる。すなわち、送信端は、一つのＭＰＤＵを一つのＡＲＱブロックとして設定する。例えば、上層から二つのＳＤＵをＭＡＣ層に伝送する場合、送信端は二つのＳＤＵを利用して３個のＭＰＤＵを構成する。このとき、前記送信端は、それぞれのＭＰＤＵに第１ないし第３のＡＲＱブロック・シーケンス番号を割り当てる。ここで、前記送信端は、ＭＡＣヘッダーのような形式でＡＲＱブロック・シーケンス番号のような制御情報をＭＰＤＵに追加する。
【００３１】
もし、送信端が伝送したＡＲＱブロックのうち、第２のＡＲＱブロックにエラーが発生した場合、受信端はＡＲＱフィードバックを通じて前記送信端に第２のＡＲＱブロックに対する再伝送を要請する。
【００３２】
前記送信端は、図１Ｂに示すように、エラーが発生したＡＲＱブロックを複数のＡＲＱ下位ブロックに分割して再伝送することができる。例えば、送信端は、エラーが発生した第２のＡＲＱブロックを７個のＡＲＱ下位ブロックに分割する。その後、前記送信端は３個のＡＲＱ下位ブロックを含むＭＰＤＵと４個のＡＲＱ下位ブロックを含むＭＰＤＵを構成して受信端に伝送する。このとき、前記送信端は、それぞれのＡＲＱ下位ブロックにＡＲＱ下位ブロック・シーケンス番号（ＡＲＱ  ＳＵＢ  ＳＮ）を割り当てる。
【００３３】
ＡＲＱ下位ブロックを受信する場合、受信端はＡＲＱ下位ブロックのＡＲＱ下位ブロック・シーケンス番号を利用して再伝送されたＡＲＱ下位ブロックに対するＡＲＱフィードバック情報を生成する。
【００３４】
前記送信端は、図１Ｃに示すように、エラーが発生したＡＲＱブロックに対する原本ＡＲＱブロックを受信端に再伝送することも可能である。例えば、送信端は、エラーが発生した第２のＡＲＱブロックに対する原本ＡＲＱブロックを受信端に再伝送する。このとき、前記送信端は、ＡＲＱブロック・シーケンス番号を含む第２のＡＲＱブロックに対するＭＰＤＵを受信端に再伝送する。
【００３５】
ＡＲＱブロックが再伝送される場合、受信端は、ＡＲＱブロックのＡＲＱブロック・シーケンス番号を利用して再伝送されたＡＲＱブロックに対するＡＲＱフィードバック情報を生成する。
【００３６】
前述のように、送信端は、ＡＲＱブロックまたはＡＲＱ下位ブロックを受信端に伝送する。このとき、受信端は、図２に示すように、累積ＡＣＫ方式と選択ＡＣＫ方式を利用して生成したＡＲＱフィードバック・メッセージを送信端に伝送する。以下の説明において、累積ＡＣＫ方式を利用して生成したＡＲＱフィードバック情報を累積ＡＣＫ方式のＡＲＱフィードバック情報と称し、選択ＡＣＫ方式を利用して生成したＡＲＱフィードバック情報を選択ＡＣＫ方式のＡＲＱフィードバック情報と称する。
【００３７】
図２は、本発明の実施形態による無線通信システムにおけるＡＲＱフィードバック・メッセージの構成を示す図である。
【００３８】
図２に示すように、受信端２１０は、累積ＡＣＫ方式と選択ＡＣＫ方式を利用して送信端２００から提供されたＡＲＱブロックのエラー発生如何を示すＡＲＱフィードバック・メッセージを生成する。
【００３９】
前記受信端２１０は、連続的に受信成功したＡＲＱブロックのエラー発生如何を示す累積ＡＣＫ方式のＡＲＱフィードバック情報２２０を生成する。このとき、前記送信端２００から提供されたあらゆるＡＲＱブロックにエラーが発生していない場合、前記受信端２１０は、最後に受信成功したＡＲＱブロックのシーケンス番号を含む累積ＡＣＫ方式のＡＲＱフィードバック情報２２０を生成する。しかし、前記送信端２００から提供されたＡＲＱブロックにエラーが発生した場合、前記受信端２１０は最初にエラーが発生したＡＲＱブロックのシーケンス番号を含む累積ＡＣＫ方式のＡＲＱフィードバック情報２２０を生成する。
【００４０】
前記受信端２１０は、累積ＡＣＫ方式のＡＲＱフィードバック情報２２０に受信成功情報を含んでいないＡＲＱブロックのエラー発生如何を示す選択ＡＣＫ方式のＡＲＱフィードバック情報２３０を生成する。例えば、前記送信端２００から提供されたＡＲＱブロックのうち、第４、第５、第７及び第９のＡＲＱブロックにエラーが発生した場合、前記受信端２１０は最初にエラーが発生した第４のＡＲＱブロックのシーケンス番号を含むように累積ＡＲＱ方式のＡＲＱフィードバック情報２２０を生成する。このとき、前記累積ＡＲＱ方式のＡＲＱフィードバック情報２２０は、第３のＡＲＱブロックのシーケンス番号を有するＡＲＱブロックまで受信成功したことを示す。
【００４１】
さらに、前記受信端２１０は、第４のＡＲＱブロックから第１０のＡＲＱブロックまで、ＡＲＱブロックのエラー発生如何を示す選択ＡＣＫ方式のＡＲＱフィードバック情報２３０を生成する。前記ＡＲＱフィードバック情報２３０の開始情報は、前記累積ＡＣＫ方式のＡＲＱフィードバック情報２２０が含む第４のＡＲＱブロックのエラー発生を示すために、第４または第５のＡＲＱブロックを含む。このとき、前記受信端２１０は、３つの方式で選択ＡＣＫ方式のＡＲＱフィードバック情報２３０を生成することができる。
【００４２】
まず、前記受信端２１０は、図２の（Ａ）に示すような、選択ＡＣＫ方式のＡＲＱフィードバック情報２３０を生成する。すなわち、前記受信端２１０は、受信成功したＡＲＱブロックのうち、シーケンス番号が最も大きいＡＲＱブロック情報とＡＲＱブロックのエラー発生如何を示すビットマップを利用して選択ＡＣＫ方式のＡＲＱフィードバック情報２３０を生成する。このとき、前記ビットマップは、エラーが発生した第１のＡＲＱブロックと前記シーケンス番号が最も大きいＡＲＱブロックとの間に位置するＡＲＱブロックのエラー発生如何を含む。例えば、前記送信端２００から提供された１０個のＡＲＱブロックのうち、第４、第５、第７及び第９のＡＲＱブロックにエラーが発生したと仮定する。この場合、前記受信端２１０は、受信成功したＡＲＱブロックのうち、シーケンス番号が最も大きい第１０のＡＲＱブロック情報と、第４ないし第９のＡＲＱブロックのエラー発生如何を示すビットマップを利用して選択ＡＣＫ方式のＡＲＱフィードバック情報（ａ）を生成する。他の例として、前記受信端２１０は、受信成功したＡＲＱブロックのうち、シーケンス番号が最も大きい第１０のＡＲＱブロック情報と、第５ないし第９のＡＲＱブロックのエラー発生如何を示すビットマップを利用して選択ＡＣＫ方式のＡＲＱフィードバック情報を生成することも可能である。
【００４３】
このとき、前記受信端２１０は、累積ＡＣＫ方式のＡＲＱフィードバック情報と第１の選択ＡＣＫ方式のＡＲＱフィードバック情報を利用して下記表１に示すようなＡＲＱフィードバック・メッセージを生成することができる。ここで、前記受信端２１０は、情報要素（Ｉｎｆｏｒｍａｔｉｏｎ  Ｅｌｅｍｅｎｔ：ＩＥ）の形でＡＲＱフィードバック・メッセージを生成する。
【００４４】
【表１】
2012500553.tif 000003
【００４５】
ここで、前記ＡＲＱフィードバック・メッセージは、前記ＡＲＱフィードバック・メッセージを利用したＡＲＱフィードバックがＡＲＱブロックに対するフィードバックであるか、ＡＲＱ下位ブロックに対するフィードバックであるかを示すＡＲＱフィードバック・タイプ・フィールド、他のＡＲＱフィードバック・メッセージの存否を示すＬＡＳＴフィールド、受信端２１０の連結識別子を示すＣＩＤフィールド、ＡＲＱフィードバック・メッセージのタイプを示すＡＣＫ  Ｔｙｐｅフィールド、累積ＡＣＫ方式のＡＲＱフィードバック情報に含まれたＡＲＱブロックのシーケンス番号を示すＡＲＱ  ＳＮフィールド、受信成功したＡＲＱブロックのうち、シーケンス番号が最も大きいＡＲＱブロックを示すＬＡＳＴ  ＳＵＣＣＥＳＳ  ＡＲＱ  ＳＮフィールド、及び累積ＡＣＫ方式を利用してエラーの発生如何を示していないＡＲＱブロックのエラー発生如何を示すＳｅｌｅｃｔｉｖｅ  ＡＣＫ  ＭＡＰフィールドを備えて生成される。すなわち、前記Ｓｅｌｅｃｔｉｖｅ  ＡＣＫ  ＭＡＰフィールドは、前記ＡＲＱ  ＳＮフィールド及び前記ＬＡＳＴ  ＳＵＣＣＥＳＳ  ＡＲＱ  ＳＮフィールドに含まれたＡＲＱブロックの間に位置するＡＲＱブロックのエラー発生如何を示す。このとき、前記Ｓｅｌｅｃｔｉｖｅ  ＡＣＫＭＡＰフィールドの第１のビットは、前記ＡＲＱ  ＳＮフィールドに含まれるシーケンス番号に該当するＡＲＱブロックの受信成否を示す。他の例として、前記Ｓｅｌｅｃｔｉｖｅ  ＡＣＫ  ＭＡＰフィールドの第１のビットは、前記ＡＲＱ  ＳＮフィールドに含まれるシーケンス番号より一つ大きいシーケンス番号に該当するＡＲＱブロックの受信成否を示すこともできる。
【００４６】
前述のように、受信端は、累積ＡＣＫ方式を使用するときのＡＲＱ  ＳＮフィールド値と、累積ＡＣＫ方式と選択ＡＣＫ方式を共に使用するときのＡＲＱ  ＳＮフィールド値を異なって設定することができる。これにより、送信端が前記表１に示すように生成されたＡＲＱフィードバック・メッセージを受信する場合、前記送信端は、ＡＣＫ  Ｔｙｐｅフィールドが０であれば、ＡＲＱ  ＳＮフィールドに含まれたシーケンス番号より小さいか、または同一のシーケンス番号を有するＡＲＱブロックを受信端で受信成功したと認識する。
【００４７】
一方、ＡＣＫ  Ｔｙｐｅフィールドが１である場合、前記送信端はＡＲＱ  ＳＮフィールドに含まれたシーケンス番号より小さいシーケンス番号を有するＡＲＱブロックを受信端で受信成功したと認識する。
【００４８】
次いで、受信端２１０は、図２の（Ｂ）に示すような、選択ＡＣＫ方式のＡＲＱフィードバック情報２３０を生成することができる。すなわち、前記受信端２１０は、固定されたビット数を有するビットマップ及び追加ビットマップの存在情報を利用して選択ＡＣＫ方式のＡＲＱフィードバック情報２３０を生成することができる。
【００４９】
このとき、前記受信端２１０は、累積ＡＣＫ方式のＡＲＱフィードバック情報及び第２の選択ＡＣＫ方式のＡＲＱフィードバック情報を利用して、下記表２に示すようなＡＲＱフィードバック・メッセージを生成することができる。ここで、前記受信端２１０は、ＩＥの形でＡＲＱフィードバック・メッセージを生成する。
【００５０】
【表２】
2012500553.tif 000004
【００５１】
ここで、前記ＡＲＱフィードバック・メッセージは、前記ＡＲＱフィードバック・メッセージを利用したＡＲＱフィードバックがＡＲＱブロックに対するフィードバックであるか、ＡＲＱ下位ブロックに対するフィードバックであるかを示すＡＲＱフィードバック・タイプ・フィールド、他のＡＲＱフィードバック・メッセージの存否を示すＬＡＳＴフィールド、受信端２１０の連結識別子を示すＣＩＤフィールド、ＡＲＱフィードバック・メッセージのタイプを示すか、Ｓｅｌｅｃｔｉｖｅ  ＡＣＫ  ＭＡＰフィールドが最後のＡＣＫＭＡＰであるかを示すＡＣＫ  ＭＡＰ  ｅｘｉｓｔｅｎｃｅフィールド、累積ＡＣＫ方式のＡＲＱフィードバック情報に含まれたＡＲＱブロックのシーケンス番号を示すＡＲＱ  ＳＮフィールド、及び累積ＡＣＫ方式を利用してエラーの発生如何を示していないＡＲＱブロックのエラー発生如何を示すＳｅｌｅｃｔｉｖｅ  ＡＣＫ  ＭＡＰフィールドを備えて生成される。すなわち、前記Ｓｅｌｅｃｔｉｖｅ  ＡＣＫ  ＭＡＰフィールドは、前記ＡＲＱ  ＳＮフィールド以後に位置するＡＲＱブロックのエラー発生情報を示す。このとき、前記Ｓｅｌｅｃｔｉｖｅ  ＡＣＫ  ＭＡＰフィールドの第１のビットは、前記ＡＲＱ  ＳＮフィールドに含まれるシーケンス番号に該当するＡＲＱブロックの受信成否を示す。他の例として、前記Ｓｅｌｅｃｔｉｖｅ  ＡＣＫ  ＭＡＰフィールドの第１のビットは、前記ＡＲＱ  ＳＮフィールドに含まれるシーケンス番号より一つ大きいシーケンス番号に該当するＡＲＱブロックの受信成否を示すこともできる。
【００５２】
最後に、前記受信端２１０は、図２の（Ｃ）に示すような、選択ＡＣＫ方式のＡＲＱフィードバック情報２３０を生成することができる。すなわち、前記受信端２１０は、固定されたビット数を有する選択ＡＣＫマップ及びＡＲＱフィードバック・メッセージに含まれる選択ＡＣＫマップの個数情報を利用して選択ＡＣＫ方式のＡＲＱフィードバック情報２０３を生成することができる。ここで、前記選択ＡＣＫマップは、ビットマップとして生成されることができる。
【００５３】
このとき、前記受信端２１０は、累積ＡＣＫ方式のＡＲＱフィードバック情報及び第３の選択ＡＣＫ方式のＡＲＱフィードバック情報を利用して、下記表３に示すようなＡＲＱフィードバック・メッセージを生成することができる。ここで、前記受信端２１０は、ＩＥの形でＡＲＱフィードバック・メッセージを生成する。
【００５４】
【表３】
2012500553.tif 000005
【００５５】
ここで、前記ＡＲＱフィードバック・メッセージは、前記ＡＲＱフィードバック・メッセージを利用したＡＲＱフィードバックがＡＲＱブロックに対するフィードバックであるか、ＡＲＱ下位ブロックに対するフィードバックであるかを示すＡＲＱフィードバック・タイプ・フィールド、他のＡＲＱフィードバック・メッセージの存否を示すＬＡＳＴフィールド、受信端２１０の連結識別子を示すＣＩＤフィールド、ＡＲＱフィードバック・メッセージのタイプを示すＡＣＫ  Ｔｙｐｅフィールド、累積ＡＣＫ方式のＡＲＱフィードバック情報に含まれたＡＲＱブロックのシーケンス番号を示すＡＲＱ  ＳＮフィールド、Ｓｅｌｅｃｔｉｖｅ  ＡＣＫ  ＭＡＰの数を示すＮ＿ＡＣＫ  ＭＡＰフィールド、及び累積ＡＣＫ方式を利用してエラーの発生如何を示していないＡＲＱブロックのエラー発生如何を示すＳｅｌｅｃｔｉｖｅ  ＡＣＫ  ＭＡＰフィールドを備えて生成される。すなわち、前記Ｓｅｌｅｃｔｉｖｅ  ＡＣＫ  ＭＡＰフィールドは、前記ＡＲＱ  ＳＮフィールド以後に位置するＡＲＱブロックのエラー発生情報を示す。このとき、前記Ｓｅｌｅｃｔｉｖｅ  ＡＣＫ  ＭＡＰフィールドの第１のビットは、前記ＡＲＱ  ＳＮフィールドに含まれるシーケンス番号に該当するＡＲＱブロックの受信成否を示す。他の例として、前記Ｓｅｌｅｃｔｉｖｅ  ＡＣＫ  ＭＡＰフィールドの第１のビットは、前記ＡＲＱ  ＳＮフィールドに含まれるシーケンス番号より一つ大きいシーケンス番号に該当するＡＲＱブロックの受信成否を示すこともできる。
【００５６】
送信端は、受信端から提供されたＡＲＱフィードバック・メッセージを通じて前記受信端に伝送したＡＲＱブロックの受信状態を確認することができる。これにより、受信端がＡＲＱブロックをエラーなしに受信した場合、送信端は新しいＡＲＱブロックの伝送のために、前記受信端がエラーなしに受信したＡＲＱブロックを送信バッファーから削除する。
【００５７】
一方、受信端に伝送したＡＲＱブロックにエラーが発生した場合、送信端は、エラーが発生したＡＲＱブロックに対する原本ＡＲＱブロックを前記受信端に再伝送する。また、送信端の無線資源運営方針によって、エラーが発生したＡＲＱブロックに対する原本ＡＲＱブロックを少なくとも二つのＡＲＱ下位ブロックに分割して再伝送することもできる。例えば、図２に示すように、第４、第５、第７及び第９のＡＲＱブロックにエラーが発生した場合、送信端は、図３に示すようにＡＲＱブロックを再伝送することができる。
【００５８】
図３は、本発明の実施形態による無線通信システムで再伝送されたＡＲＱブロックに対するＡＲＱフィードバック情報を含むＡＲＱフィードバック・メッセージの構成を示す図である。
【００５９】
図３に示すように、第４、第５、第７、及び第９のＡＲＱブロックにエラーが発生した場合、送信端３００は、エラーが発生したＡＲＱブロックを受信端３１０に再伝送する。このとき、送信端３００は、第５のＡＲＱブロック及び第９のＡＲＱブロックを、原本ＡＲＱブロックと同様に受信端３１０に再伝送する。一方、前記送信端３００は、第４のＡＲＱブロックを４個のＡＲＱ下位ブロックに分割し、第７のＡＲＱブロックを３個のＡＲＱ下位ブロックに分割して前記受信端３１０に再伝送する。ここで、前記送信端３００は、それぞれのＡＲＱ下位ブロックにＡＲＱ下位ブロック・シーケンス番号を割り当てる。すなわち、前記送信端３００は、第４のＡＲＱブロックを分割したＡＲＱ下位ブロックに対して４−１ないし４−４のＡＲＱ下位ブロック・シーケンス番号を割り当て、第７のＡＲＱブロックを分割したＡＲＱ下位ブロックに対して７−１ないし７−３のＡＲＱ下位ブロック・シーケンス番号を割り当てる。
【００６０】
前述のように、送信端３００でＡＲＱブロックを再伝送する場合、前記送信端３００は、再伝送するＡＲＱブロックと共に新しいＡＲＱブロックを伝送することも可能である。
【００６１】
前記受信端３１０が、前記送信端３００が再伝送したＡＲＱブロックを受信する場合、前記受信端３１０は、累積ＡＣＫ方式及び選択ＡＣＫ方式を利用して前記送信端３００から再伝送されたＡＲＱブロックのエラー発生如何を含むＡＲＱフィードバック・メッセージを生成する。
【００６２】
このとき、前記受信端３１０は、前記表１、表２、及び表３にＡＲＱ下位ブロックを有するＡＲＱブロックの個数情報を示すＮ＿ＡＲＱ  Ｂｌｏｃｋフィールドを追加してＡＲＱフィードバック・メッセージを生成することができる。例えば、前記表１にＮ＿ＡＲＱ  Ｂｌｏｃｋフィールドを追加する場合、前記受信端３１０は、下記表４に示すように、ＡＲＱフィードバック・メッセージを生成することができる。ここで、前記受信端３１０は、ＩＥの形でＡＲＱフィードバック・メッセージを生成する。
【００６３】
【表４】
2012500553.tif 000006
【００６４】
ここで、前記ＡＲＱフィードバック・メッセージは、前記ＡＲＱフィードバック・メッセージを利用したＡＲＱフィードバックがＡＲＱブロックに対するフィードバックであるか、ＡＲＱ下位ブロックに対するフィードバックであるかを示すＡＲＱフィードバック・タイプ・フィールド、他のＡＲＱフィードバック・メッセージの存否を示すＬＡＳＴフィールド、受信端２１０の連結識別子を示すＣＩＤフィールド、エラーが発生したＡＲＱ下位ブロックを有するＡＲＱブロックのシーケンス番号を示すＡＲＱ  ＳＮフィールド、エラーが発生したＡＲＱ下位ブロックを有するＡＲＱブロックの数を示すＮ＿ＡＲＱ  Ｂｌｏｃｋフィールド、ＡＲＱフィードバック・メッセージのタイプを示すＡＣＫ  Ｔｙｐｅフィールド、累積ＡＣＫ方式のＡＲＱフィードバック情報に含まれるＡＲＱ下位ブロックのシーケンス番号を示すＡＲＱ  ＳＵＢ＿ＳＮフィールド、受信成功したＡＲＱ下位ブロックのうち、シーケンス番号が最も大きいＡＲＱ下位ブロックを示すＬＡＳＴ  ＳＵＣＣＥＳＳ  ＡＲＱ  ＳＵＢ＿ＳＮフィールド、及び累積ＡＣＫ方式を利用してエラーの発生如何を示していないＡＲＱ下位ブロックのエラー発生如何を示すＳｅｌｅｃｔｉｖｅ  ＡＣＫ  ＭＡＰフィールドを備えて生成される。すなわち、前記Ｓｅｌｅｃｔｉｖｅ  ＡＣＫ  ＭＡＰフィールドは、前記ＡＲＱ  ＳＵＢ＿ＳＮフィールド及び前記ＬＡＳＴ  ＳＵＣＣＥＳＳ  ＡＲＱ  ＳＵＢ＿ＳＮフィールドに含まれるＡＲＱ下位ブロックの間に位置するＡＲＱ下位ブロックのエラー発生情報を示す。このとき、前記Ｓｅｌｅｃｔｉｖｅ  ＡＣＫ  ＭＡＰフィールドの第１のビットは、前記ＡＲＱ  ＳＵＢ＿ＳＮフィールドに含まれるシーケンス番号に該当するＡＲＱ下位ブロックの受信成否を示す。他の例として、前記Ｓｅｌｅｃｔｉｖｅ  ＡＣＫ  ＭＡＰフィールドの第１のビットは、前記ＡＲＱ  ＳＵＢ＿ＳＮフィールドに含まれるシーケンス番号より一つ大きいシーケンス番号に該当するＡＲＱ下位ブロックの受信成否を示すこともできる。
【００６５】
前記表２にＮ＿ＡＲＱ  Ｂｌｏｃｋフィールドを追加する場合、前記受信端３１０は、下記表５に示すように、ＡＲＱフィードバック・メッセージを生成することができる。ここで、前記受信端３１０は、ＩＥの形でＡＲＱフィードバック・メッセージを生成する。
【００６６】
【表５】
2012500553.tif 000007
【００６７】
ここで、前記ＡＲＱフィードバック・メッセージは、前記ＡＲＱフィードバック・メッセージを利用したＡＲＱフィードバックがＡＲＱブロックに対するフィードバックであるか、ＡＲＱ下位ブロックに対するフィードバックであるかを示すＡＲＱフィードバック・タイプ・フィールド、他のＡＲＱフィードバック・メッセージの存否を示すＬＡＳＴフィールド、受信端２１０の連結識別子を示すＣＩＤフィールド、エラーが発生したＡＲＱ下位ブロックを有するＡＲＱブロックの数を示すＮ＿ＡＲＱ  Ｂｌｏｃｋフィールド、エラーが発生したＡＲＱ下位ブロックを有するＡＲＱブロックのシーケンス番号を示すＡＲＱ  ＳＮフィールド、ＡＲＱフィードバック・メッセージのタイプを示すか、Ｓｅｌｅｃｔｉｖｅ  ＡＣＫ  ＭＡＰフィールドが最後のＡＣＫＭＡＰであるかを示すＡＣＫ  ＭＡＰ  ｅｘｉｓｔｅｎｃｅフィールド、累積ＡＣＫ方式のＡＲＱフィードバック情報に含まれるＡＲＱ下位ブロックのシーケンス番号を示すＡＲＱ  ＳＵＢ＿ＳＮフィールド、及び累積ＡＣＫ方式を利用してエラーの発生如何を示していないＡＲＱ下位ブロックのエラー発生如何を示すＳｅｌｅｃｔｉｖｅ  ＡＣＫ  ＭＡＰフィールドを備えて生成される。すなわち、前記Ｓｅｌｅｃｔｉｖｅ  ＡＣＫ  ＭＡＰフィールドは、前記ＡＲＱ  ＳＵＢ＿ＳＮフィールド以後に位置するＡＲＱ下位ブロックのエラー発生情報を示す。このとき、前記Ｓｅｌｅｃｔｉｖｅ  ＡＣＫ  ＭＡＰフィールドの第１のビットは、前記ＡＲＱ  ＳＵＢ＿ＳＮフィールドに含まれるシーケンス番号に該当するＡＲＱ下位ブロックの受信成否を示す。他の例として、前記Ｓｅｌｅｃｔｉｖｅ  ＡＣＫ  ＭＡＰフィールドの第１のビットは、前記ＡＲＱ  ＳＵＢ＿ＳＮフィールドに含まれるシーケンス番号より一つ大きいシーケンス番号に該当するＡＲＱ下位ブロックの受信成否を示すこともできる。
【００６８】
前記表３にＮ＿ＡＲＱ  Ｂｌｏｃｋフィールドを追加する場合、前記受信端３１０は、下記表６に示すように、ＡＲＱフィードバック・メッセージを生成することができる。ここで、前記受信端３１０は、ＩＥの形でＡＲＱフィードバック・メッセージを生成する。
【００６９】
【表６】
2012500553.tif 000008
【００７０】
ここで、前記ＡＲＱフィードバック・メッセージは、前記ＡＲＱフィードバック・メッセージを利用したＡＲＱフィードバックがＡＲＱブロックに対するフィードバックであるか、ＡＲＱ下位ブロックに対するフィードバックであるかを示すＡＲＱフィードバック・タイプ・フィールド、他のＡＲＱフィードバック・メッセージの存否を示すＬＡＳＴフィールド、受信端２１０の連結識別子を示すＣＩＤフィールド、エラーが発生したＡＲＱ下位ブロックを有するＡＲＱブロックのシーケンス番号を示すＡＲＱ  ＳＮフィールド、エラーが発生したＡＲＱ下位ブロックを有するＡＲＱブロックの数を示すＮ＿ＡＲＱ  Ｂｌｏｃｋフィールド、ＡＲＱフィードバック・メッセージのタイプを示すＡＣＫ  Ｔｙｐｅフィールド、累積ＡＣＫ方式のＡＲＱフィードバック情報に含まれるＡＲＱ下位ブロックのシーケンス番号を示すＡＲＱ  ＳＵＢ＿ＳＮフィールド、Ｓｅｌｅｃｔｉｖｅ  ＡＣＫ  ＭＡＰの数を示すＮ＿ＡＣＫ  ＭＡＰフィールド、及び累積ＡＣＫ方式を利用してエラーの発生如何を示していないＡＲＱ下位ブロックのエラー発生如何を示すＳｅｌｅｃｔｉｖｅ  ＡＣＫ  ＭＡＰフィールドを備えて生成される。すなわち、前記Ｓｅｌｅｃｔｉｖｅ  ＡＣＫ  ＭＡＰは、前記ＡＲＱ  ＳＵＢ＿ＳＮフィールド以後に位置するＡＲＱ下位ブロックのエラー発生情報を示す。このとき、前記Ｓｅｌｅｃｔｉｖｅ  ＡＣＫ  ＭＡＰフィールドの第１のビットは、前記ＡＲＱ  ＳＵＢ＿ＳＮフィールドに含まれるシーケンス番号に該当するＡＲＱ下位ブロックの受信成否を示す。他の例として、前記Ｓｅｌｅｃｔｉｖｅ  ＡＣＫ  ＭＡＰフィールドの第１のビットは、前記ＡＲＱ  ＳＵＢ＿ＳＮフィールドに含まれるシーケンス番号より一つ大きいシーケンス番号に該当するＡＲＱ下位ブロックの受信成否を示すこともできる。
【００７１】
以下では、受信端でＡＲＱフィードバック・メッセージを生成するための方法について説明する。
【００７２】
図４は、本発明の実施形態による無線通信システムの受信端でＡＲＱフィードバック・メッセージを生成するための手続きを示すフローチャートである。
【００７３】
図４に示すように、まず、受信端は、ステップ４０１で送信端からＡＲＱブロックが受信されるかを確認する。
【００７４】
もし、ＡＲＱブロックを受信した場合、前記受信端はステップ４０３に進み、前記受信したＡＲＱブロックのエラー発生如何を確認する。
【００７５】
その後、前記受信端はステップ４０５に進み、ＡＲＱフィードバックを行うか否かを判断する。
【００７６】
もし、ＡＲＱフィードバックを行わない場合、前記受信端は前記ステップ４０１に戻り、送信端からＡＲＱブロックが受信されるかを確認する。
【００７７】
一方、ＡＲＱフィードバックを行う場合、前記受信端はステップ４０７に進み、ＡＲＱフィードバックを行うためのＡＲＱブロックのうち、エラーが発生したＡＲＱブロックが存在するかを確認する。
【００７８】
もし、エラーが発生したＡＲＱブロックが存在しない場合、前記受信端はステップ４１３に進み、累積ＡＣＫ方式のＡＲＱフィードバック情報を生成する。例えば、ＡＲＱフィードバックを行うための第１のＡＲＱブロックないし第１０のＡＲＱブロックにエラーが発生していない場合、受信端は第１０のＡＲＱブロックのシーケンス番号を含む累積ＡＣＫ方式のＡＲＱフィードバック情報を生成する。
【００７９】
前記ＡＲＱフィードバック情報を生成した後、前記受信端はステップ４１１に進み、累積ＡＣＫ方式のＡＲＱフィードバック情報を含むＡＲＱフィードバック・メッセージを生成して送信端に伝送する。例えば、前記受信端は、前記表１、表２または表３に示すように、ＡＲＱフィードバック・メッセージを生成する。この場合、送信端は、ＡＲＱフィードバック・メッセージのタイプ情報を通じて前記ＡＲＱフィードバック・メッセージが累積ＡＣＫ方式のＡＲＱフィードバック情報のみを含むと認識する。これにより、前記送信端は、累積ＡＣＫ方式のＡＲＱフィードバック情報が含むＡＲＱブロックまで受信端でエラーなしに受信成功したと認識する。
【００８０】
一方、前記ステップ４０７で、エラーが発生したＡＲＱブロックが存在する場合、前記受信端はステップ４０９に進み、累積ＡＣＫ方式のＡＲＱフィードバック情報及び選択ＡＣＫ方式のＡＲＱフィードバック情報を生成する。このとき、前記受信端は、最初にエラーが発生したＡＲＱブロックのシーケンス番号を含むように累積ＡＣＫ方式のＡＲＱフィードバック情報を生成する。また、前記受信端は、累積ＡＣＫ方式のＡＲＱフィードバック情報を利用してエラーの発生如何を示していないＡＲＱブロックのエラー発生如何を示すように選択ＡＣＫ方式のＡＲＱフィードバック情報を生成する。
【００８１】
前記ＡＲＱフィードバック情報を生成した後、前記受信端は前記ステップ４１１に進み、累積ＡＣＫ方式のＡＲＱフィードバック情報及び選択ＡＣＫ方式のＡＲＱフィードバック情報を含むＡＲＱフィードバック・メッセージを生成して送信端に伝送する。例えば、前記受信端は、前記表１、表２または表３に示すように、ＡＲＱフィードバック・メッセージを生成する。他の例として、ＡＲＱ下位ブロックに対するＡＲＱフィードバック・メッセージを生成する場合、前記受信端は、前記表４、表５または表６に示すように、ＡＲＱフィードバック・メッセージを生成する。
【００８２】
この場合、送信端は、ＡＲＱフィードバック・メッセージのタイプ情報を通じて前記ＡＲＱフィードバック・メッセージが累積ＡＣＫ方式及び選択ＡＣＫ方式のＡＲＱフィードバック情報を含むと認識する。これにより、前記送信端は、受信端が累積ＡＣＫ方式のＡＲＱフィードバック情報が含むＡＲＱブロック以前のＡＲＱブロックまで受信成功したと認識する。また、前記送信端は、選択ＡＣＫ方式のＡＲＱフィードバック情報を通じて前記受信端が追加的に受信成功したＡＲＱブロックを確認することができる。
【００８３】
その後、前記受信端は前記ＡＲＱフィードバック・メッセージを送信端に伝送する。
【００８４】
以下では、送信端でＡＲＱブロックを伝送または再伝送するための方法について説明する。
【００８５】
図５は、本発明の実施形態による無線通信システムの送信端でＡＲＱブロックを伝送するための手続きを示すフローチャートである。
【００８６】
図５に示すように、まず、送信端はステップ５０１で、ＡＲＱ方式の通信サービスを提供するためにＡＲＱブロックを生成する。例えば、前記送信端は、上層から提供されたＳＤＵに対するスケジューリングによってＡＲＱブロックを生成する。その後、前記送信端は、少なくとも一つのＡＲＱブロックでＭＰＤＵを生成することができる。他の例として、送信端は、上層から提供された一つのＳＤＵを分割するか、または複数のＳＤＵを結合してＡＲＱブロックを生成する。その後、前記送信端は、一つのＡＲＱブロックで一つのＭＰＤＵを生成する。
【００８７】
前記ＡＲＱブロックを生成した後、前記送信端はステップ５０３に進み、ＡＲＱブロックを受信端に伝送する。
【００８８】
その後、前記送信端はステップ５０５に進み、前記ＡＲＱブロックを伝送した受信端からＡＲＱフィードバック・メッセージが受信されるかを確認する。
【００８９】
ＡＲＱフィードバック・メッセージが受信される場合、前記送信端はステップ５０７に進み、ＡＲＱフィードバック・メッセージに含まれたＡＲＱフィードバック情報を通じて受信端に伝送したＡＲＱブロックに対するエラーの発生如何を確認する。例えば、ＡＲＱフィードバック・メッセージに累積ＡＣＫ方式及び選択ＡＣＫ方式のＡＲＱフィードバック情報が含まれる場合、前記送信端は、受信端が累積ＡＣＫ方式のＡＲＱフィードバック情報が含むＡＲＱブロック以前のＡＲＱブロックまで受信成功したと認識する。また、前記送信端は、選択ＡＣＫ方式のＡＲＱフィードバック情報を通じて前記受信端が追加的に受信成功したＡＲＱブロックを確認することができる。
【００９０】
他の例として、ＡＲＱフィードバック・メッセージに累積ＡＣＫ方式のＡＲＱフィードバック情報のみが含まれた場合、前記送信端は、受信端が累積ＡＣＫ方式のＡＲＱフィードバック情報が含むＡＲＱブロックまで受信成功したと認識する。
【００９１】
前記受信端に伝送したＡＲＱブロックに対するエラーの発生如何を確認した後、前記送信端はステップ５０９に進み、受信端に再伝送するＡＲＱブロックが存在するかを確認する。
【００９２】
もし、受信端に再伝送するＡＲＱブロックが存在しない場合、前記送信端は本アルゴリズムを終了する。このとき、前記送信端は新しいＡＲＱブロックを伝送する。
【００９３】
一方、受信端に再伝送するＡＲＱブロックが存在する場合、前記送信端はステップ５１１に進み、再伝送するＡＲＱブロックをＡＲＱ下位ブロックに分割することを決定する。このとき、前記送信端は、スケジューラの無線資源運営方針によって再伝送するＡＲＱブロックをＡＲＱ下位ブロックに分割するかを決定する。例えば、初期送信より無線チャンネルに強くＡＲＱブロックを伝送せねばならないか、または送信電力を高めるために、再伝送のための無線資源のサイズが小さくなる場合、前記送信端は、再伝送するＡＲＱブロックをＡＲＱ下位ブロックに分割することを決定する。
【００９４】
前記ステップ５１１で再伝送するＡＲＱブロックをＡＲＱ下位ブロックに分割することを決定した場合、前記送信端はステップ５１３に進み、再伝送するＡＲＱブロックを複数のＡＲＱ下位ブロックに分割する。ここで、前記送信端は、ＡＲＱ下位ブロックのサイズを固定的または可変的に分割することができる。また、前記送信端は、それぞれのＡＲＱ下位ブロックにＡＲＱ下位ブロック・シーケンス番号を割り当てる。例えば、第４のＡＲＱブロックを４個のＡＲＱ下位ブロックに分割した場合、前記送信端は、ＡＲＱ下位ブロックに対して４−１ないし４−４のＡＲＱ下位ブロック・シーケンス番号を割り当てる。
【００９５】
再伝送するＡＲＱブロックをＡＲＱ下位ブロックに分割した後、前記送信端はステップ５１５に進み、前記分割したＡＲＱ下位ブロックで一つ以上のＭＰＤＵを生成して受信端に再伝送する。
【００９６】
前記ステップ５１１で再伝送するＡＲＱブロックをＡＲＱ下位ブロックに分割しないことを決定した場合、前記送信端はステップ５１７に進み、受信端でエラーが発生したＡＲＱブロックに対する原本ＡＲＱブロックを受信端に再伝送する。
【００９７】
その後、前記送信端は本アルゴリズムを終了する。
【００９８】
前述のように、送信端は、ＡＲＱブロックを固定長または可変長を有する少なくとも二つのＡＲＱ下位ブロックに分割して受信端に再伝送することができる。このとき、前記ＡＲＱ下位ブロックのサイズは、基地局と端末との初期接続（Ｉｎｉｔｉａｌ  Ｅｎｔｒｙ）時または連結者初期決定（Ｃｏｎｎｅｃｔｉｏｎ  ｓｅｔｕｐ）時に決定されるか、または基地局と端末が最初に約束されたシステム・パラメーターに設定されることも可能である。
【００９９】
以下では、ＡＲＱブロックまたはＡＲＱ下位ブロックを伝送するための送信端の構成について説明する。
【０１００】
図６は、本発明によって無線通信システムにおける送信端の構成を示すブロック図である。
【０１０１】
図６に示すように、送信端は、データ保存部６０１、データ生成部６０３、ＡＲＱ制御部６０５、送信器６０７、デュプレクサ６０９、受信器６１１及びＡＲＱ下位ブロック構成部６１３を備える。
【０１０２】
前記データ保存部６０１は、上位応用プログラムで生成されたデータを保存する。例えば、前記データ保存部６０１はデータ・キューの形で構成される。
【０１０３】
前記データ生成部６０３は、スケジューリング情報によって前記データ保存部６０１に保存されたデータを分割または統合して伝送するためのサイズに変形させる。
【０１０４】
前記ＡＲＱ制御部６０５は、前記データ生成部６０３から提供されたデータに対するＡＲＱのためにＡＲＱブロックを生成し、それぞれのＡＲＱブロックにシーケンス番号を与える。例えば、前記ＡＲＱ制御部６０５は、上層から提供されたＳＤＵを所定のデータサイズに分割してＡＲＱブロックを生成する。このとき、前記ＡＲＱ制御部６０５は、少なくとも一つのＡＲＱブロックでＭＰＤＵを生成し、ＳＤＵを分割した順序によってＡＲＱブロックにＡＲＱブロック・シーケンスを割り当てる。他の例として、前記ＡＲＱ制御部６０５は、上層から提供された一つのＳＤＵを分割するか、または複数のＳＤＵを結合してＡＲＱブロックを生成する。このとき、前記ＡＲＱ制御部６０５は、一つのＡＲＱブロックで一つのＭＰＤＵを生成し、順次にＡＲＱブロック・シーケンスを割り当てる。
【０１０５】
また、前記ＡＲＱ制御部６０５は、受信端から提供されたＡＲＱフィードバック・メッセージのＡＲＱフィードバック情報を通じて、前記受信端に伝送したＡＲＱブロックに対するエラーの発生如何を確認する。例えば、ＡＲＱフィードバック・メッセージに累積ＡＣＫ方式及び選択ＡＣＫ方式のＡＲＱフィードバック情報が含まれた場合、前記ＡＲＱ制御部６０５は、受信端が累積ＡＣＫ方式のＡＲＱフィードバック情報が含むＡＲＱブロック以前のＡＲＱブロックまで受信成功したと認識する。また、前記ＡＲＱ制御部６０５は、選択ＡＣＫ方式のＡＲＱフィードバック情報を通じて受信端で追加的に受信成功したＡＲＱブロックを確認することができる。
【０１０６】
他の例として、ＡＲＱフィードバック・メッセージに累積ＡＣＫ方式のＡＲＱフィードバック情報のみが含まれた場合、前記ＡＲＱ制御部６０５は、受信端が累積ＡＣＫ方式のＡＲＱフィードバック情報が含むＡＲＱブロックまで受信成功したと認識する。
【０１０７】
前記ＡＲＱ制御部６０５は、受信端に伝送または再伝送したＡＲＱブロックにエラーが発生した場合、エラーが発生したＡＲＱブロックを再伝送するように制御する。例えば、前記ＡＲＱ制御部６０５は、再伝送するＡＲＱブロックをＡＲＱ下位ブロックに分割するか否かを決定する。もし、ＡＲＱブロックを分割することを決定した場合、前記ＡＲＱ制御部６０５は、エラーが発生したＡＲＱブロックをＡＲＱ下位ブロックに分割するように前記ＡＲＱ下位ブロック構成部６１３を制御する。一方、ＡＲＱブロックを分割しないことを決定した場合、前記ＡＲＱ制御部６０５は、エラーが発生したＡＲＱブロックに対する原本ＡＲＱブロックを再伝送するように制御する。
【０１０８】
前記ＡＲＱ下位ブロック構成部６１３は、前記ＡＲＱ制御部６０５の制御によってエラーが発生して再伝送するＡＲＱブロックを少なくとも二つのＡＲＱ下位ブロックに分割する。このとき、前記ＡＲＱ下位ブロック構成部６１３は、ＡＲＱ下位ブロックのサイズを固定的または可変的に分割することができる。
【０１０９】
前記送信器６０７は、チャンネル符号ブロック、変調ブロック及びＲＦ（Ｒａｄｉｏ  Ｆｒｅｑｕｅｎｃｙ）処理ブロックを備えて生成されて、前記ＡＲＱ制御部６０５から提供されたＡＲＱブロックまたはＡＲＱ下位ブロックを高周波信号に変換して、前記デュプレクサ６０９を通じて受信端に伝送する。例えば、前記チャンネル符号ブロックは、チャンネル符号器、インターリーバ及び変調器などで構成される。前記変調ブロックは、直交周波数分割多重方式の場合、ＩＦＦＴ（Ｉｎｖｅｒｓｅ  Ｆａｓｔ  Ｆｏｕｒｉｅｒ  Ｔｒａｎｓｆｏｒｍ）演算器で構成され、コード分割多重接続方式の場合、コード拡散変調器で構成される。前記ＲＦ処理ブロックは、前記変調ブロックから提供された基底帯域信号を高周波信号に変換して、アンテナを介して出力する。
【０１１０】
前記デュプレクサ６０９は、デュープレキシング方式によって前記送信器６０７から提供された送信信号を、アンテナを介して送信し、アンテナからの受信信号を受信器６１１に提供する。
【０１１１】
前記受信器６１１は、ＲＦ処理ブロック、復調ブロック、チャンネル復号ブロックなどを備え、前記デュプレクサ６０９から提供された高周波信号を基底帯域信号に変換して復調する。例えば、前記ＲＦ処理ブロックは、前記デュプレクサ６０９から提供された高周波信号を基底帯域信号に変換して出力する。前記復調ブロックは、前記ＲＦ処理ブロックから提供された信号からそれぞれの副搬送波に運ばれたデータを抽出するためのＦＦＴ演算器などで構成される、前記チャンネル復号ブロックは、復調器、デインターリーバ、チャンネル・デコーダーなどで構成される。
【０１１２】
前述の構成において、前記ＡＲＱ制御部６０５は、前記ＡＲＱ下位ブロック構成部６１３の機能を行うことができる。本発明でこれを別に構成したのは、それぞれの機能を区別して説明するためである。したがって、実際に具現する場合、それらを全てＡＲＱ制御部６０５で処理するように構成することができ、それらのうち一部のみを前記ＡＲＱ制御部６０５で処理するように構成することができる。
【０１１３】
以下では、ＡＲＱフィードバック・メッセージを生成するための受信端の構成について説明する。
【０１１４】
図７は、本発明によって無線通信システムにおける受信端の構成を示すブロック図である。
【０１１５】
図７に示すように、受信端は、デュプレクサ７０１、受信器７０３、ＡＲＱ制御部７０５、データ復元部７０７、データ保存部７０９、ＡＲＱ制御メッセージ生成部７１１及び送信器７１３を備える。
【０１１６】
前記デュプレクサ７０１は、デュプレキシング方式によって前記送信器７１３から提供された送信信号を、アンテナを介して送信し、アンテナからの受信信号を受信器７０３に提供する。
【０１１７】
前記受信器７０３は、ＲＦ処理ブロック、復調ブロック、チャンネル復号ブロックなどを備え、前記デュプレクサ７０１から提供された高周波信号を基底帯域信号に変換して復調する。例えば、前記ＲＦ処理ブロックは、前記デュプレクサ７０１から提供された高周波信号を基底帯域信号に変換して出力する。前記復調ブロックは、前記ＲＦ処理ブロックから提供された信号からそれぞれの副搬送波に運ばれたデータを抽出するためのＦＦＴ演算器などで構成される、前記チャンネル復号ブロックは、復調器、デインターリーバ、チャンネル・デコーダーなどで構成される。
【０１１８】
前記ＡＲＱ制御部７０５は、前記受信器７０３から提供されたＡＲＱブロックのシーケンスを確認し、前記ＡＲＱブロックのエラー発生如何を確認する。
【０１１９】
また、前記ＡＲＱ制御部７０５は、ＡＲＱフィードバックの時点を確認して、ＡＲＱフィードバック時点が到来すれば、ＡＲＱフィードバック・メッセージを生成するように前記ＡＲＱ制御メッセージ生成部７１１を制御する。
【０１２０】
前記データ復元部７０７は、前記ＡＲＱ制御部７０５でエラーなしに受信成功したＡＲＱブロックを利用して、送信端のデータ生成部６０３で分割または統合して変形前のデータに復元する。
【０１２１】
前記データ保存部７０９は、前記データ復元部７０７で復元したデータを保存し、前記データを上位応用プログラムに伝達する。例えば、前記データ保存部７０９はデータ・キューの形で生成される。
【０１２２】
前記ＡＲＱ制御メッセージ生成部７１１は、前記ＡＲＱ制御部７０５の制御によって、前記送信端に伝送するＡＲＱフィードバック・メッセージを生成する。このとき、送信端から受信されたＡＲＱブロックにエラーが発生した場合、前記ＡＲＱ制御メッセージ生成部７１１は、累積ＡＣＫ方式及び選択ＡＣＫ方式のＡＲＱフィードバック情報を利用してＡＲＱフィードバック・メッセージを生成する。例えば、前記受信端は、選択ＡＣＫ方式のＡＲＱフィードバック情報の構成方法によって、前記表１、表２、及び表３のうち何れか一つの構成方法を利用してＡＲＱフィードバック・メッセージを生成する。
【０１２３】
また、送信端から受信されたＡＲＱブロックにエラーが発生していない場合、前記ＡＲＱ制御メッセージ生成部７１１は、累積ＡＣＫ方式のＡＲＱフィードバック情報を利用してＡＲＱフィードバック・メッセージを生成する。
【０１２４】
また、ＡＲＱ下位ブロックに対するＡＲＱフィードバック・メッセージを生成する場合、前記ＡＲＱ制御メッセージ生成部７１１は、前記表４、表５、及び表６のうち何れか一つの構成方法を利用してＡＲＱフィードバック・メッセージを生成する。
【０１２５】
前記送信器７１３は、チャンネル符号ブロック、変調ブロック及びＲＦ処理ブロックを備え、前記ＡＲＱ制御部７０５から提供されたＡＲＱフィードバック・メッセージを高周波信号に変換して、前記デュプレクサ７０１を通じて受信端に伝送する。例えば、前記チャンネル符号ブロックは、チャンネル符号器、インターリーバ、変調器などで構成される。前記変調ブロックは、直交周波数分割多重方式の場合、ＩＦＦＴ演算器で生成され、コード分割多重接続方式の場合、コード拡散変調器で構成される。前記ＲＦ処理ブロックは、前記変調ブロックから提供された基底帯域信号を高周波信号に変換してアンテナを介して出力する。
【０１２６】
前述の構成において、前記ＡＲＱ制御部７０５は、前記ＡＲＱ制御メッセージ生成部７１１の機能を行うことができる。本発明でこれを別に構成したのは、それぞれの機能を区別して説明するためである。したがって、実際に具現する場合、それらを全てＡＲＱ制御部７０５で処理するように構成することができ、それらのうち一部のみを前記ＡＲＱ制御部７０５で処理するように構成することができる。
【０１２７】
前述のように、無線通信システムの受信端で累積ＡＣＫ方式及び選択ＡＣＫ方式を利用してＡＲＱフィードバック・メッセージを生成することによって、ＡＲＱブロックに対するＡＲＱフィードバックを行うことができ、ＡＲＱフィードバックによるオーバーヘッドを低減させることができる。また、送信端でＡＲＱブロックをチャンネル環境に適応的に分割して再伝送することによってＡＲＱブロックの損失を低減させることができる。
【０１２８】
一方、本発明の詳細な説明では具体的な実施形態について説明したが、本発明の範囲から逸脱しない限り、多様な変形が可能であるということは言うまでもない。したがって、本発明の範囲は説明された実施形態に限って定められるものではなく、後述する特許請求の範囲だけでなく、この特許請求の範囲と均等なものによって定められねばならない。
【符号の説明】
【０１２９】
２００、３００      送信端
２１０、３１０      受信端
２２０      累積ＡＣＫ方式のＡＲＱフィードバック情報
２３０      選択ＡＣＫ方式のＡＲＱフィードバック情報
６０１      データ保存部
６０３      データ生成部
６０５      ＡＲＱ制御部
６０７      送信器
６０９      デュプレクサ
６１１      受信器
６１３      ＡＲＱ下位ブロック構成部
７０１      デュプレクサ
７０３      受信器
７０５      ＡＲＱ制御部
７０７      データ復元部
７０９      データ保存部
７１１      ＡＲＱ制御メッセージ生成部
７１３      送信器
【図１Ａ】
2012500553.tif 000009
【図１Ｂ】
2012500553.tif 000010
【図１Ｃ】
2012500553.tif 000011
【図２】
2012500553.tif 000012
【図３】
2012500553.tif 000013
【図４】
2012500553.tif 000014
【図５】
2012500553.tif 000015
【図６】
2012500553.tif 000016
【図７】
2012500553.tif 000017
【国際調査報告】
2012500553.tif 000018
2012500553.tif 000019
2012500553.tif 000020
2012500553.tif 000021